(57)【要約】【課題】  操作が簡単且つ確実で、コストを抑制でき、係止状態を確実に保持できる、天井直付照明器具用引掛シーリングアダプタを提供することを目的とする。【解決手段】  引掛シーリングアダプタの複数の係止爪を同時に動作させ、照明器具を天井面と水平な状態でのみ装着可能にし、複数の係止爪が全て確実に係止するようにする。  また、引掛シーリングアダプタの係止爪操作機構と係止爪ロック機構を一機構化し部品点数を削減し、照明器具を取り外す時にロック解除と係止爪解除を一連の操作で行えるようにする。【選択図】  図１
2007053067.tif 000002
【特許請求の範囲】
【請求項１】
天井面に固定された引掛シーリングコンセントに取り付ける天井直付型照明器具の取付装置において、上記シーリングコンセントに電気的かつ機械的に接続する栓刃と、該栓刃と電気的に接続されたコネクタと、機械的に接続を保持するロック片を有し、中心から対称に配置され、かつ弾性体により外側方向に押され側面より突出する係止爪の傾斜面が天井直付型照明器具の貫通穴を通り抜けようとするときに該貫通穴の縁と接触して引っ込み、該貫通穴を通過すると該係止爪が突出し係止する引掛シーリングアダプタであり、
係止爪は天井面と水平、かつアダプタ中心を対称に配置され、複数の枝状で一端がアダプタ中心方向に延び、他の一端がアダプタ中心からオフセットされた方向に延びその先端に延長方向と垂直に長穴を有するアームと一体化され、該一体化された係止爪とアームは円筒形のボディ側面の切り込みとボディー底面より突出する柱によって、ボディ中心から外周方向にその稼働範囲が制限され直線的に動作可能となり、
アーム先端の長穴にハンドルの中心からオフセットされた位置に配置したアダプタ中心軸方向に突出する柱とハンドル中心軸と対称な位置に配置される柱にそれぞれ挿入され、
カバー中心に円形の穴および該円形の穴の外方向かつ係止爪の動作方向と垂直方向切り込みがあり、該切り込みより少し小形で該切り込みを貫通する形状を有したハンドルを挿入し該円形の穴より少し小形の段部を有し、該ハンドルは該円形穴の縁に沿って回転すると同時に該一体化された係止爪がボディー中心方向に同時に引っ込み、該アームのアダプタ中心方向に延びた枝状部分の先端間に設置された弾性体の反発力によって係止爪がアダプタ外側方向に突出すると同時にハンドルが逆回転し、該アダプタ中心からオフセットされた方向に延びその先端に延長方向と垂直に長穴の長手方向と該カバーの係止爪の動作方向と垂直方向切り込み方向は一致し、係止爪が完全に突出した状態でのみハンドルは係止爪動作方向と垂直の方向に可動な状態となり、該ハンドルをこの方向に移動させることにより該ハンドルの回転が抑制され同時に係止爪がアダプタ中心方向に引っ込むことを抑制する直付照明器具用取付アダプタ
【発明の詳細な説明】
【発明の詳細な説明】
【技術分野】
【０００１】  本発明は、主に住宅の天井に設置される照明器具の落下に対する安全性を向上させ、照明器具着脱の操作性を向上させる照明器具取付装置に関するものである。
【背景技術】
【０００２】  従来の照明器具取付装置は引掛シーリングアダプタに係止爪を有するタイプでは複数の係止爪が独立して可動であり、照明器具を天井面と水平でない状態で装着した場合、複数の係止爪のうちの一つしか係止せず、照明器具が傾き脱落する危険性があった。
また、照明器具を装着した状態で係止爪をロックするタイプの引掛シーリングアダプタは係止爪操作機構と係止爪ロック機構は独立しており、照明器具を取り外す時には先ずロック機構部を操作しロックを解除し、次に係止爪操作部分を操作し照明器具を取り外す操作が必要で操作性に難点があり、しかも複数の部材を必要とし、コストアップに繋がった。
【発明が解決しようとする課題】
【０００３】  操作が簡単且つ確実で、コストを抑制でき、係止状態を確実に保持できる、天井直付照明器具用引掛シーリングアダプタを提供することを目的とする。
【課題を解決するための手段】
【０００４】  引掛シーリングアダプタの複数の係止爪を同時に動作させ、照明器具を天井面と水平な状態でのみ装着可能にし、複数の係止爪が全て確実に係止するようにする。
また、引掛シーリングアダプタの係止爪操作機構と係止爪ロック機構を一機構化し部品点数を削減し、照明器具を取り外す時にロック解除と係止爪解除を一連の操作で行えるようにする。
【作用】
【０００５】  天井面１に固定された引掛シーリングコンセント２に取り付ける天井直付型照明器具の取付装置において、引掛シーリングコンセント２の栓刃導入穴に栓刃３を挿入し、引掛シーリングアダプタ１３を回転させ電気的かつ機械的に接続すると同時にロック片３３が栓刃導入穴に入って引っかかり、機械的接続が不意に解除されることを抑制し、
上記シーリングコンセント中心から対称に配置され、かつ弾性体５により外側方向に押されボディー６の側面７より突出する係止爪８の傾斜面９が天井直付型照明器具１０の貫通穴１１を通り抜けようとするときに該貫通穴の縁１２と接触してボディー内部に引っ込み、該貫通穴を通過すると該係止爪が突出し係止し、
係止爪８は天井面１と水平、かつボディーの中心と対称に配置され、複数の枝状で一端がボディー中心方向に延び、他の一端がボディー中心からオフセットされた方向に延びその先端に延長方向と垂直に長穴１５を有するアーム１６と一体化され、該一体化された係止爪とアームは円筒形のボディ側面の切り込み１７とボディー底面１８より突出する柱１９によって、ボディ中心から外周方向にその稼働範囲が制限され直線的に動作可能となり、
アーム先端の長穴にハンドル２０の中心からオフセットされた位置に配置したアダプタ中心軸方向に突出する柱２１とハンドル中心軸と対称な位置に配置される柱２２にそれぞれ挿入され、
カバー２３中心に円形の穴２４および該円形の穴の外方向かつ係止爪の動作方向と垂直方向切り込み２５があり、該切り込みより少し小形で該切り込みを貫通する形状の段部２６を有したハンドルを挿入し該円形の穴より少し小形の段部２７を有し、該ハンドルは該円形穴の縁に沿って回転すると同時に該一体化されたボディー中心を対称に配置された係止爪がボディー中心方向に同時に引っ込み、該アームのボディー中心方向に延びた枝状部分の先端間に設置された弾性体の反発力によって係止爪がアダプタ外側方向に突出すると同時にハンドルが逆回転する。該アダプタ中心からオフセットされた方向に延びその先端に延長方向と垂直に長穴の長手方向と該カバーの係止爪の動作方向と垂直に切り込みの方向は一致し、係止爪が完全に突出した状態でのみハンドルは係止爪動作方向と垂直の方向に可動な状態となり、該ハンドルをこの方向に移動させることにより、係止爪にボディー中心に向かう力はアームを介して該ハンドルを回転させようとするが、切り込みの縁と接触して回転が抑制され、同時に係止爪がアダプタ中心方向に引っ込むことを抑制する。
【実施例】
【０００６】  天井面１に固定された引掛シーリングコンセント２に取り付ける天井直付型照明器具の取付装置において、上記シーリングコンセントに電気的かつ機械的に接続する栓刃３と、該栓刃と電気的に接続されたコネクタ４とを有し、中心から対称に配置され、かつ弾性体５により外側方向に押されボディー６の側面７より突出する係止爪８の傾斜面９を有し、係止爪８は天井面２と水平、かつボディーの中心と対称に配置され、複数の枝状で一端がボディー中心方向に延び、他の一端がボディー中心からオフセットされた方向に延びその先端に延長方向と垂直に長穴１５を有するアーム１６と一体化され、該一体化された係止爪とアームは円筒形のボディ側面の切り込み１７とボディー底面１８より突出する柱１９があり、アーム先端の長穴にハンドル２０の中心からオフセットされた位置に配置したアダプタ中心軸方向に突出する柱２１とハンドル中心軸と対称な位置に配置される柱２２にそれぞれ挿入され、カバー２３中心に円形の穴２４および該円形の穴の外方向かつ係止爪の動作方向と垂直方向切り込み２５があり、該切り込みより少し小形で該切り込みを貫通する形状の段部２６を有したハンドルを挿入し該円形の穴より少し小形の段部２７を有し、該一体化されたボディー中心を対称に配置された係止爪があり、該アームのボディー中心方向に延びた枝状部分の先端間に弾性体が挟み込まれ、該アダプタ中心からオフセットされた方向に延びその先端に延長方向と垂直に長穴の長手方向と該カバーの係止爪の動作方向と垂直に切り込みの方向は一致する。
【発明の効果】
【０００７】  本発明により、天井直付型照明器具を天井等に設置するとき、引掛シーリングアダプタの複数の係止爪を同時に動作させ、照明器具を天井面と水平な状態でのみ装着可能にし、複数の係止爪が全て確実に係止するようになるため安全性が向上する。
また、天井等に設置された天井直付型照明器具を取り外す時に、ロック解除と係止爪解除を一連の操作で行えるようになる。
また、引掛シーリングアダプタの係止爪操作機構と係止爪ロック機構を一機構化するため部品点数が削減され、コストダウンとなる。
【図面の簡単な説明】
【図１】  直付照明器具用取付アダプタの斜視図である。
【図２】  直付照明器具用取付アダプタの底面図である。
【図３】  直付照明器具用取付アダプタの正面である。
【図４】  直付照明器具用取付アダプタの縦断面図である。
【図５】  直付照明器具用取付アダプタの内部機構の天面図である。
【図６】  直付照明器具用取付アダプタの分解斜視図である。
【図７】  照明器具取付状態の縦断面図である。
【図８】  直付照明器具用取付アダプタの内部機構の斜視図である。
【図９】  直付照明器具用取付アダプタの照明器具取り外し操作状態の底面図である。
【図１０】  直付照明器具用取付アダプタの照明器具取り外し操作状態の縦断面図である。
【図１１】  直付照明器具用取付アダプタの照明器具取り外し操作状態の内部機構の天面図である。
【図１２】  直付照明器具用取付アダプタの係止爪ロック状態の底面図である。
【図１３】  直付照明器具用取付アダプタの係止爪ロック状態の内部機構の天面図である。
【図１４】  直付照明器具用取付アダプタの係止爪ロック状態の内部機構の斜視図である。
【図１５】  照明器具の天井取り付け状態の分解斜視図である。
【符号の説明】
１  天井面
２  シーリングコンセント
３  栓刃
４  コネクタ
５  弾性体
６  ボディー
７  ボディーの側面
８  係止爪
９  傾斜面
１０  天井直付型照明器具
１１  貫通穴
１２  貫通穴の縁
１３  引掛シーリングアダプタ
１４  照明器具本体
１５  長穴
１６  アーム
１７  ボディ側面の切り込み
１８  ボディー底面
１９  柱
２０  ハンドル
２１  柱
２２  柱
２３  カバー
２４  円形の穴
２５  切り込み
２６  段部
２７  段部
２８  セード
２９  ランプホルダー
３０  ランプ
３１  タッピンねじ
３２  栓刃導入口
３３  ロック片
３４  電線
３５  ナット
３６  小ねじ
【図１】
2007053067.tif 000003
【図２】
2007053067.tif 000004
【図３】
2007053067.tif 000005
【図４】
2007053067.tif 000006
【図５】
2007053067.tif 000007
【図６】
2007053067.tif 000008
【図７】
2007053067.tif 000009
【図８】
2007053067.tif 000010
【図９】
2007053067.tif 000011
【図１０】
2007053067.tif 000012
【図１１】
2007053067.tif 000013
【図１２】
2007053067.tif 000014
【図１３】
2007053067.tif 000015
【図１４】
2007053067.tif 000016
【図１５】
2007053067.tif 000017
【手続補正書】
【提出日】平成18年9月13日(2006.9.13)
【手続補正１】
【補正対象書類名】特許請求の範囲
【補正対象項目名】全文
【補正方法】変更
【補正の内容】
【特許請求の範囲】
【請求項１】
天井面に固定された引掛シーリングコンセントに取り付ける直付照明器具用取付アダプタであって、
ボディ側面の対称位置から直線運動により出没可能に設けられた複数の係止爪と、
ボディに回転可能に設けられ、かつ前記係止爪の直線運動に対して直角方向に移動可能に設けられた単一のハンドルと、
前記ハンドルの回転動作により前記係止爪に直線運動を与え、前記照明器具との係止または係止解除を行なう係止爪操作機構と、
前記ハンドルを前記直角方向へ移動させて該ハンドルを回転不能にする係止爪ロック機構と、を備えていることを特徴とする直付照明器具用取付アダプタ。
【請求項２】
天井面に固定された引掛シーリングコンセントに取り付ける直付照明器具用取付アダプタであって、
天井面に対向する底面および該底面周縁から延びる側面を有するボディーと、
前記ボディー底面を貫通して該ボディー外部へ突設され、天井面に固定された引掛シーリングコンセントに対して電気的に接続し且つ機械的に結合する栓刃と、
前記栓刃と前記照明器具とを電気的に接続するコネクタと、
前記ボディー中心を対称にして配置され、該ボディー中心からボディー側面への直線運動により該ボディー側面から出没可能に設けられていると共に、互いのボディー中心側が弾性体で押され、ボディー側面から外方へ突出するよう付勢されている複数の係止爪と、
前記係止爪を前記ボディー中心部分で連係させると共に、回転動作によって前記係止爪を前記ボディー側面から出没させる係止爪操作機能および前記係止爪の突出状態で、該係止爪の直線運動に対して直角な移動操作によって該係止爪の突出を保持する係止爪ロック機能を持たせたハンドルと、
を備えていることを特徴とする直付照明器具用取付アダプタ。
【請求項３】
請求項２において、係止爪毎に一体化されたアームを備え、各アームの一部がボディー中心からオフセットされ、その先端に前記係止爪の直線運動の方向に対して直角方向に延びた長穴を有し、ハンドルの回転中心から等しい距離の対称な位置に柱が設けられ、該柱を前記長穴に移動可能に挿入し、前記柱が長穴のほぼ中央に位置させたとき前記ハンドルの回転操作を可能にして前記係止爪をボディー側面から内方へ引っ込める機能を働かせ、前記ハンドルをその回転中心位置から係止爪の運動方向に対して直角方向に動かして前記柱を長穴の一方側に位置させたときハンドルの回転操作を不能にするロック機能を働かせることを特徴とする直付照明器具用取付アダプタ。
【請求項４】
天井面に固定された引掛シーリングコンセントに取り付ける直付照明器具用取付アダプタであって、
前記引掛シーリングコンセントに電気的かつ機械的に接続する栓刃と、該栓刃と電気的に接続されたコネクタと、機械的に接続を保持するロック片を有し、中心から対称に配置され、かつ弾性体により外側方向に押され側面より突出する係止爪の傾斜面が天井直付型照明器具の貫通穴を通り抜けようとするときに該貫通穴の縁と接触して引っ込み、該貫通穴を通過すると該係止爪が突出し係止するよう構成されており、
係止爪は天井面と水平、かつアダプタ中心を対称に配置され、複数の枝状で一端がアダプタ中心方向に延び、他の一端がアダプタ中心からオフセットされた方向に延びその先端に延長方向と垂直に長穴を有するアームと一体化され、該一体化された係止爪とアームは円筒形のボディ側面の切り込みとボディー底面より突出する柱によって、ボディ中心から外周方向にその稼働範囲が制限され直線的に動作可能となり、
アーム先端の長穴にハンドルの中心からオフセットされた位置に配置したアダプタ中心軸方向に突出する柱とハンドル中心軸と対称な位置に配置される柱にそれぞれ挿入され、
カバー中心に円形の穴および該円形の穴の外方向かつ係止爪の動作方向と垂直方向切り込みがあり、該切り込みより少し小形で該切り込みを貫通する形状を有したハンドルを挿入し該円形の穴より少し小形の段部を有し、該ハンドルは該円形穴の縁に沿って回転すると同時に該一体化された係止爪がボディー中心方向に同時に引っ込み、該アームのアダプタ中心方向に延びた枝状部分の先端間に設置された弾性体の反発力によって係止爪がアダプタ外側方向に突出すると同時にハンドルが逆回転し、該アダプタ中心からオフセットされた方向に延びその先端に延長方向と垂直に長穴の長手方向と該カバーの係止爪の動作方向と垂直方向切り込み方向は一致し、係止爪が完全に突出した状態でのみハンドルは係止爪動作方向と垂直の方向に可動な状態となり、該ハンドルをこの方向に移動させることにより該ハンドルの回転が抑制され同時に係止爪がアダプタ中心方向に引っ込むことを抑制することを特徴とする直付照明器具用取付アダプタ。
【手続補正２】
【補正対象書類名】明細書
【補正対象項目名】全文
【補正方法】変更
【補正の内容】
【発明の詳細な説明】
【技術分野】
【０００１】
本発明は、主に住宅の天井に設置される照明器具の落下に対する安全性を向上させ、照明器具着脱の操作性を向上させる照明器具取付装置に関するものである。
【背景技術】
【０００２】
従来の照明器具取付装置は引掛シーリングアダプタに係止爪を有するタイプでは複数の係止爪が独立して可動であり、照明器具を天井面と水平でない状態で装着した場合、複数の係止爪のうちの一つしか係止せず、照明器具が傾き脱落する危険性があった。
【０００３】
また、照明器具を装着した状態で係止爪をロックするタイプの引掛シーリングアダプタは係止爪操作機構と係止爪ロック機構が独立しており、照明器具を取り外す時には先ずロック機構部を操作しロックを解除し、次に係止爪操作部分を操作し照明器具を取り外す操作が必要で操作性に難点があり、しかも複数の部材を必要とし、コストアップに繋がった。
【０００４】
【特許文献１】特開平１１−２５７４０号公報
【特許文献２】特開２００５−２１６５２２公報
【発明の開示】
【発明が解決しようとする課題】
【０００５】
本発明の目的は、操作が簡単且つ確実で、コストを抑制でき、係止状態を確実に保持できる、天井面に固定された引掛シーリングコンセントに取り付ける直付照明器具用取付アダプタを提供することにある。
【課題を解決するための手段】
【０００６】
上記の目的を達成する為、請求項１の発明に係る直付照明器具用取付アダプタは、天井面に固定された引掛シーリングコンセントに取り付ける直付照明器具用取付アダプタであって、
ボディ側面の対称位置から直線運動により出没可能に設けられた複数の係止爪と、
ボディに回転可能に設けられ、かつ前記係止爪の直線運動に対して直角方向に移動可能に設けられた単一のハンドルと、
前記ハンドルの回転動作により前記係止爪に直線運動を与え、前記照明器具との係止または係止解除を行なう係止爪操作機構と、
前記ハンドルを前記直角方向へ移動させて該ハンドルを回転不能にする係止爪ロック機構と、を備えていることを特徴とする。
【０００７】
請求項２の発明に係る直付照明器具用取付アダプタは、天井面に固定された引掛シーリングコンセントに取り付ける直付照明器具用取付アダプタであって、
天井面に対向する底面および該底面周縁から延びる側面を有するボディーと、
前記ボディー底面を貫通して該ボディー外部へ突設され、天井面に固定された引掛シーリングコンセントに対して電気的に接続し且つ機械的に結合する栓刃と、
前記栓刃と照明器具とを電気的に接続するコネクタと、
前記ボディー中心を対称にして配置され、該ボディー中心からボディー側面への直線運動により該ボディー側面から出没可能に設けられていると共に、互いのボディー中心側が弾性体で押され、ボディー側面から外方へ突出するよう付勢されている複数の係止爪と、
前記係止爪を前記ボディー中心部分で連係させると共に、回転動作によって前記係止爪を前記ボディー側面から出没させる係止爪操作機能および前記係止爪の突出状態で、該係止爪の直線運動に対して直角な移動操作によって該係止爪の突出を保持する係止爪ロック機能を持たせたハンドルと、
を備えていることを特徴とする。
【０００８】
請求項３の発明は、請求項２に記載の直付照明器具用取付アダプタおいて、係止爪毎に一体化されたアームを備え、各アームの一部がボディー中心からオフセットされ、その先端に前記係止爪の直線運動の方向に対して直角方向に延びた長穴を有し、ハンドルの回転中心から等しい距離の対称な位置に柱が設けられ、該柱を前記長穴に移動可能に挿入し、前記柱が長穴のほぼ中央に位置させたとき前記ハンドルの回転動作を可能にして前記係止爪をボディー側面から内方へ引っ込める機能を働かせ、前記ハンドルをその回転中心位置から係止爪の運動方向に対して直角方向に動かして前記柱を長穴の一方側に位置させたときハンドルの回転操作を不能にするロック機能を働かせることを特徴とする。
【０００９】
請求項４の発明は、天井面に固定された引掛シーリングコンセントに取り付ける直付照明器具用取付アダプタであって、
前記引掛シーリングコンセントに電気的かつ機械的に接続する栓刃と、該栓刃と電気的に接続されたコネクタと、機械的に接続を保持するロック片を有し、中心から対称に配置され、かつ弾性体により外側方向に押され側面より突出する係止爪の傾斜面が前記照明器具の貫通穴を通り抜けようとするときに該貫通穴の縁と接触して引っ込み、該貫通穴を通過すると該係止爪が突出し係止するよう構成されており、
係止爪は天井面と水平、かつアダプタ中心を対称に配置され、複数の枝状で一端がアダプタ中心方向に延び、他の一端がアダプタ中心からオフセットされた方向に延びその先端に延長方向と垂直に長穴を有するアームと一体化され、該一体化された係止爪とアームは円筒形のボディ側面の切り込みとボディー底面より突出する柱によって、ボディ中心から外周方向にその稼働範囲が制限され直線的に動作可能となり、
アーム先端の長穴にハンドルの中心からオフセットされた位置に配置したアダプタ中心軸方向に突出する柱とハンドル中心軸と対称な位置に配置される柱にそれぞれ挿入され、
カバー中心に円形の穴および該円形の穴の外方向かつ係止爪の動作方向と垂直方向切り込みがあり、該切り込みより少し小形で該切り込みを貫通する形状を有したハンドルを挿入し該円形の穴より少し小形の段部を有し、該ハンドルは該円形穴の縁に沿って回転すると同時に該一体化された係止爪がボディー中心方向に同時に引っ込み、該アームのアダプタ中心方向に延びた枝状部分の先端間に設置された弾性体の反発力によって係止爪がアダプタ外側方向に突出すると同時にハンドルが逆回転し、該アダプタ中心からオフセットされた方向に延びその先端に延長方向と垂直に長穴の長手方向と該カバーの係止爪の動作方向と垂直方向切り込み方向は一致し、係止爪が完全に突出した状態でのみハンドルは係止爪動作方向と垂直の方向に可動な状態となり、該ハンドルをこの方向に移動させることにより該ハンドルの回転が抑制され同時に係止爪がアダプタ中心方向に引っ込むことを抑制することを特徴とする。
【００１０】
上記の構成により、引掛シーリングアダプタの複数の係止爪を同時に動作させ、照明器具を天井面と水平な状態でのみ装着可能にし、複数の係止爪が全て確実に係止される。
また、引掛シーリングアダプタの係止爪操作機構と係止爪ロック機構を一機構化し部品点数を削減し、照明器具を取り外す時にロック解除と係止爪解除を一連の操作できる。
【発明の効果】
【００１１】
本発明によれば、天井直付型照明器具を天井等に設置するとき、引掛シーリングアダプタの複数の係止爪を同時に動作させ、照明器具を天井面と水平な状態でのみ装着可能にし、複数の係止爪が全て確実に係止するようになるため安全性が向上する。
また、天井等に設置された天井直付型照明器具を取り外す時に、ロック解除と係止爪解除を一連の操作で行えるようになる。
また、引掛シーリングアダプタの係止爪操作機構と係止爪ロック機構を一機構化するため部品点数が削減され、コストダウンとなる。
【発明を実施するための最良の形態】
【００１２】
本発明の課題は、単一のハンドルの回転動作で係止爪の出没を可能にし、かつ同じハンドルを回転中心位置からずらして該ハンドルの回転操作を不能にし係止爪の突出状態をロックする機構を備えたことで実現した。
【実施例１】
【００１３】
図面を参照しながら実施例を詳しく説明する。図１は直付照明器具用取付アダプタの斜視図、図２は直付照明器具用取付アダプタの底面図、図３は直付照明器具用取付アダプタの正面図である。
【００１４】
直付照明器具用取付アダプタ１３は、主要部として天井面１に固定された引掛シーリングコンセント２に取り付けられるボディー６、ボディー側面７から外方へ突出して照明器具本体１４に係止される一対の係止爪８、この係止爪８をボディー側面に対して出没させる係止爪操作機構と係止爪８の突出状態を維持させる係止爪ロック機構とを単一のハンドル２０によって操作可能に構成されている。
【００１５】
図４から図８を参照しながら各部を詳しく説明する。
ボディー６は、円筒形を成しており、天井面１（図７参照）に対向するボディ底面１８および底面周縁から側面７（図６参照）が形成されている。ボディー底面１８には天井面１に固定された引掛シーリングコンセント２に対して電気的に接続し且つ機械的に結合する栓刃３が貫通してボディー外部へ突設されており、この栓刃３と照明器具本体１４がコネクタ４により電気的に接続される。
【００１６】
複数の係止爪８は傾斜面９を有し、アーム１６にタッピングネジ３１によって一体化され、天井面１と水平、かつボディー中心に対称に配置されている。一体化された係止爪８とアーム１６はボディー中心からボディー側面７への直線運動によりボディー側面７から突出させ、または突出状態からボディー６側に引っ込める出没可能に設けられている。アーム１６は複数の枝状で一端がボディー中心方向に延び、他の一端がボディー中心からオフセットされた方向に延びその先端に延長方向と直角に長穴１５が形成されている。各アーム１６のボディー中心方向に延びた枝状部分の先端（アーム先端）間には弾性体５が挟み込まれ、係止爪８をボディー側面７から外方へ突出するよう付勢している（図５参照）。
【００１７】
一体化された係止爪８とアーム１６をボディー６に組み付ける為、ボディー側面７には対称位置に形成された切り込み１７、ボディー底面１８より内方へ突出形成された柱１９が設けられている。各アーム１６のボディー中心方向に延びた枝状部分には係止爪８の運動方向に延びた長穴１６ａが形成されており、この長穴１６ａに柱１９が挿入されている。
【００１８】
ボディー底面１８に対向するハンドル２０の面にはハンドル回転中心からオフセットされて柱２１、２２が配置されており、この柱２１、２２はハンドル回転中心に対称となる位置に設けられている。柱２１，２２にはアーム１６の長穴１５が挿入されている。
【００１９】
ボディー６の開放側は小ねじ３６とタッピングねじ３１によって固定されるカバー２３で塞がれる。カバー２３の中心には円形の穴２４および該穴２４の外方向かつ係止爪８の動作方向と直角方向に切り込み２５が形成されている。ハンドル２０には穴２４より少し小形で該切り込み２５を貫通する形状の段部２６、および段部２６の端に切り込み２５より少し小形の段部２７を有する。アーム１６の長穴１５の長手方向とカバー２３の切り込み２５の切込み方向は一致する（図５及び図８参照）。
【００２０】
次に本実施例の作用を、図７に示す照明器具取付状態、及び図１５に示す照明器具の天井取付を参照しながら説明する。
引掛シーリングコンセント２の栓刃導入口３２に栓刃３を挿入し、引掛シーリングアダプタ１３を回転させ電気的かつ機械的に接続すると同時にロック片３３が栓刃導入穴に入って引っかかり、機械的接続が不意に解除されることを抑制する。
【００２１】
シーリングコンセント中心から対称に配置され、かつ弾性体５により外側方向に押されボディー６の側面７より突出する係止爪８の傾斜面９が照明器具１０の貫通穴１１を通り抜けようとするときに貫通穴１１の縁１２と接触してボディー内部に引っ込み、貫通穴１１を通過した後、係止爪８が突出し照明器具１０に係止する。
【００２２】
ハンドル２０が穴２４の円縁に沿って回転すると一対の係止爪８がボディー中心方向に同時に引っ込み（図９〜１１の状態）、照明器具１０への係止が解除される。前述のハンドル２０への操作力を解くと弾性体５の反発力によって係止爪８がボディー側面７の外方（アダプタ外側方向）に突出すると同時にハンドル２０が上記係止爪８の引っ込み時の回転とは反対方向に逆回転する（図１〜５の状態）。
【００２３】
アダプタ中心からオフセットされた方向に延びその先端に延長方向と直角に長穴１５の長手方向と、カバー２３の係止爪８の動作方向に対して直角方向に形成された切り込み２５の方向は一致し、係止爪８が完全に突出した状態でのみハンドル８が係止爪動作方向に対して直角な方向へ可動な状態となる。この状態でハンドル２０を移動させることにより、係止爪８に作用するボディー中心に向かう力はアーム１６を介してハンドル２０を回転させようとするが、切り込み２５の縁と接触して回転が阻止され、同時に係止爪８がアダプタ中心方向に引っ込むことを防止する（図１２〜１４の状態）。
【図面の簡単な説明】
【００２４】
【図１】直付照明器具用取付アダプタの斜視図である。
【図２】直付照明器具用取付アダプタの底面図である。
【図３】直付照明器具用取付アダプタの正面である。
【図４】直付照明器具用取付アダプタの縦断面図である。
【図５】直付照明器具用取付アダプタの内部機構の天面図である。
【図６】直付照明器具用取付アダプタの分解斜視図である。
【図７】照明器具取付状態の縦断面図である。
【図８】直付照明器具用取付アダプタの内部機構の斜視図である。
【図９】直付照明器具用取付アダプタの照明器具取り外し操作状態の底面図である。
【図１０】直付照明器具用取付アダプタの照明器具取り外し操作状態の縦断面図である。
【図１１】直付照明器具用取付アダプタの照明器具取り外し操作状態の内部機構の天面図である。
【図１２】直付照明器具用取付アダプタの係止爪ロック状態の底面図である。
【図１３】直付照明器具用取付アダプタの係止爪ロック状態の内部機構の天面図である。
【図１４】直付照明器具用取付アダプタの係止爪ロック状態の内部機構の斜視図である。
【図１５】照明器具の天井取り付け状態の分解斜視図である。
【符号の説明】
【００２５】
１    天井面
２    シーリングコンセント
３    栓刃
４    コネクタ
５    弾性体
６    ボディー
７    ボディーの側面
８    係止爪
９    傾斜面
１０  天井直付型照明器具
１１  貫通穴
１２  貫通穴の縁
１３  引掛シーリングアダプタ
１４  照明器具本体
１５  長穴
１６  アーム
１７  ボディ側面の切り込み
１８  ボディー底面
１９  柱
２０  ハンドル
２１  柱
２２  柱
２３  カバー
２４  円形の穴
２５  切り込み
２６  段部
２７  段部
２８  セード
２９  ランプホルダー
３０  ランプ
３１  タッピンねじ
３２  栓刃導入口
３３  ロック片
３４  電線
３５  ナット
３６  小ねじ
【手続補正３】
【補正対象書類名】図面
【補正対象項目名】図１
【補正方法】変更
【補正の内容】
【図１】
2007053067.tif 000018
【手続補正４】
【補正対象書類名】図面
【補正対象項目名】図５
【補正方法】変更
【補正の内容】
【図５】
2007053067.tif 000019
【手続補正５】
【補正対象書類名】図面
【補正対象項目名】図６
【補正方法】変更
【補正の内容】
【図６】
2007053067.tif 000020
【手続補正６】
【補正対象書類名】図面
【補正対象項目名】図８
【補正方法】変更
【補正の内容】
【図８】
2007053067.tif 000021
【手続補正７】
【補正対象書類名】図面
【補正対象項目名】図１１
【補正方法】変更
【補正の内容】
【図１１】
2007053067.tif 000022
【手続補正８】
【補正対象書類名】図面
【補正対象項目名】図１３
【補正方法】変更
【補正の内容】
【図１３】
2007053067.tif 000023
【手続補正９】
【補正対象書類名】図面
【補正対象項目名】図１４
【補正方法】変更
【補正の内容】
【図１４】
2007053067.tif 000024
【手続補正１０】
【補正対象書類名】図面
【補正対象項目名】図１５
【補正方法】変更
【補正の内容】
【図１５】
2007053067.tif 000025